(57)【特許請求の範囲】
【請求項１】
磁気回路部１１０とコイル部１２０とがケース１０１に相互対応する位置に収容された状態でコイル部１２０に印加される交流信号の方向によって磁気回路部１１０が振動しながら音響または振動を発生させる感覚信号出力装置１００において、
前記ケース１０１が磁気回路部１１０とコイル部１２０との相互に対して弾性を有する状態で支持して、磁気回路部１１０とコイル部１２０とが相互反発吸引動作するか、または、ある一方が固定された状態で他方が反発吸引動作しながら振動し、
前記ケース１０１は、
磁気回路部１１０とコイル部１２０の対向する面の縁部分に結合される金属材、
または、合成樹脂材からなる垂直方向の弾性板体であることを特徴とする、感覚信号出力装置。
【請求項２】
前記磁気回路部１１０は、
磁力を発生させるマグネット１１１と、
前記マグネット１１１の上部面に積層されてマグネットの磁力を集中させるトッププレート１１２と、
前記マグネット１１１が安着固定される面を提供すると共に、磁力線が通過する経路を提供しながらマグネット１１１とトッププレート１１２の外周面方向または内周面方向に磁束が形成される空隙を提供するように高さ面を有するヨーク１１３と、
を含んで構成されることを特徴とする、請求項１に記載の感覚信号出力装置。
【請求項３】
前記磁気回路部１１０は、
磁力を発生させるマグネット１１１と、
前記マグネット１１１の上部面に積層されてマグネットの磁力を集中させるトッププレート１１２と、
前記マグネット１１１及びトッププレート１１２と同心円を有して外郭に間隔をおいて設けられる他のマグネット１１１'とトッププレート１１２'と、
前記同心円を有して位置するマグネットが安着する面を提供しながら磁力線が通過する経路を提供するヨーク１１３'と、
を含んで構成されることを特徴とする、請求項１に記載の感覚信号出力装置。
【請求項４】
前記コイル部１２０は、
磁気回路部１１０の空隙に位置した状態で外部から交流信号が入力されれば、フレミングの左手の法則に従って振動するボイスコイル１２１と、
前記ボイスコイル１２１が一側面中央に固定されるプレート１２２と、
を含んで構成されることを特徴とする、請求項１に記載の感覚信号出力装置。
【請求項５】
前記コイル部１２０は、
磁気回路部１１０の空隙に位置した状態で外部から交流信号が入力されれば、フレミングの左手の法則に従って振動するボイスコイル１２１と、
前記ボイスコイル１２１が一側面中央に固定されて、ボイスコイル１２１の振動により音響を出力させる振動板と、
前記振動板の外周縁に設けられて、前記ケース１０１と結合される部位を提供するリムタイプの支持部材と、
を含んで構成されることを特徴とする、請求項１に記載の感覚信号出力装置。
【請求項６】
前記ケース１０１は、
磁気回路部１１０とコイル部１２０との対向する面の縁部分に間隔をおいて結合される板体形状の板スプリング配列体、
または、間隔をおいて打孔部と弾撥部が配列されたリム形状の板スプリング、
または、弾性力を有するリム形状の板スプリングであることを特徴とする、請求項１に記載の感覚信号出力装置。
【請求項７】
前記板スプリングの面は、
弾性力を提供するシワ部位、
または、外方または内方に湾曲面が設けられたことを特徴とする、請求項６に記載の感覚信号出力装置。
【請求項８】
前記磁気回路部１１０のコイル部１２０と対向する面はマグネット１１１が安着固定されるヨーク１１３の一側面であり、前記コイル部１２０の磁気回路部１１０と対向する面はボイスコイル１２１が固定されるプレート１２２の一側面であることを特徴とする、請求項１または６に記載の感覚信号出力装置。
【請求項９】
磁気回路部１１０とコイル部１２０とがケース１０１に相互対応する位置に収容された状態でコイル部１２０に印加される交流信号の方向によって磁気回路部１１０が振動しながら音響または振動を発生させる感覚信号出力装置１００において、
前記ケース１０１が磁気回路部１１０とコイル部１２０との相互に対して弾性を有する状態で支持して、磁気回路部１１０とコイル部１２０とが相互反発吸引動作するか、または、ある一方が固定された状態で他方が反発吸引動作しながら振動し、
前記ケース１０１は、
磁気回路部１１０とコイル部１２０の対向する面の縁部分に間隔をおいて結合される板体の中央部分が内方に突出するように折り曲げられた板スプリングの配列体、
または、磁気回路部１１０とコイル部１２０との対向する面の縁部分に結合されるリムの中央部分が内方に突出するように折り曲げられ、表面に打孔部と弾性部が間隔をおいて配列されるリム形状の板スプリング、
または、磁気回路部１１０とコイル部１２０との対向する面の縁部分に結合されるリムの中央部分が内方に突出するように折り曲げられたリム形状の板スプリングであることを特徴とする、感覚信号出力装置。
【請求項１０】
磁気回路部１１０とコイル部１２０とがケース１０１に相互対応する位置に収容された状態でコイル部１２０に印加される交流信号の方向によって磁気回路部１１０が振動しながら音響または振動を発生させる感覚信号出力装置１００において、
前記ケース１０１が磁気回路部１１０とコイル部１２０との相互に対して弾性を有する状態で支持して、磁気回路部１１０とコイル部１２０とが相互反発吸引動作するか、または、ある一方が固定された状態で他方が反発吸引動作しながら振動し、
前記ケース１０１は、
磁気回路部１１０とコイル部１２０との対向する面の縁部分に間隔をおいて結合される板体の中央部分が外方に突出するように折り曲げられた板スプリング配列体、
または、磁気回路部１１０とコイル部１２０との対向する面の縁部分に結合されるリムの中央部分が外方に突出するように折り曲げられ、表面に打孔部と弾性部が間隔をおいて配列されるリム形状の板スプリング、
または、磁気回路部１１０とコイル部１２０との対向する面の縁部分に結合されるリムの中央部分が外方に突出するように折り曲げられたリム形状の板スプリングであることを特徴とする、感覚信号出力装置。
【請求項１１】
磁気回路部１１０とコイル部１２０とがケース１０１に相互対応する位置に収容された状態でコイル部１２０に印加される交流信号の方向によって磁気回路部１１０が振動しながら音響または振動を発生させる感覚信号出力装置１００において、
前記ケース１０１が磁気回路部１１０とコイル部１２０との相互に対して弾性を有する状態で支持して、磁気回路部１１０とコイル部１２０とが相互反発吸引動作するか、または、ある一方が固定された状態で他方が反発吸引動作しながら振動し、
前記ケース１０１は、
一端が磁気回路部１１０のコイル部１２０と対向する面に結合され、
他端は磁気回路部１１０とコイル部１２０の外郭縁線上に沿って斜線に延びて、
前記コイル部１２０の磁気回路部１１０と対向する面に結合される金属材または合成樹脂材からなる斜線型板スプリングの配列体であることを特徴とする、感覚信号出力装置。
【請求項１２】
磁気回路部１１０とコイル部１２０とがケース１０１に相互対応する位置に収容された状態でコイル部１２０に印加される交流信号の方向によって磁気回路部１１０が振動しながら音響または振動を発生させる感覚信号出力装置１００において、
前記ケース１０１が磁気回路部１１０とコイル部１２０との相互に対して弾性を有する状態で支持して、磁気回路部１１０とコイル部１２０とが相互反発吸引動作するか、または、ある一方が固定された状態で他方が反発吸引動作しながら振動し、
前記ケース１０１は、
磁気回路部１１０とコイル部１２０との対向する面の縁部分に間隔をおいて結合されるコイルスプリングの配列体であることを特徴とする、感覚信号出力装置。
【請求項１３】
前記磁気回路部１１０とコイル部１２０との対向する面の間隔の狭い部分に位置したコイルスプリングの巻線数乃至弾性度を間隔の広い部分に位置したコイルスプリングの巻線数乃至弾性度より少なくて低いことを特徴とする、請求項１２に記載の感覚信号出力装置。
【請求項１４】
前記コイル部１２０は、
ボイスコイル１２１が一側面中央に固定されて、ボイスコイル１２１の振動により音響を出力させる振動板１２３を含み、かつ前記ボイスコイル１２１が一側面中央に固定される振動板１２３の外周縁にリムタイプの支持部材１２４が結合されてなることを特徴とする、請求項１に記載の感覚信号出力装置。
【発明の詳細な説明】
【技術分野】
【０００１】
本発明は感覚信号出力装置に関し、より詳しくは、コイル部及び磁気回路部を収容するケース自体がコイル及び磁気回路部がなす振動構造を弾撥支持する骨伝導出力装置を含んだ感覚信号出力装置（骨伝導出力装置含み）に関する。
【背景技術】
【０００２】
一般に、感覚信号出力装置は信号源から入力される電気的信号を機械的な信号に変換させて音響を出力させるか、または振動力を発生させるスピーカー・レシーバー・ブザー・振動モーター（バイブレーター）のような音響または振動力を出力させる装置であり、骨伝導出力装置もこれに該当する.
【０００３】
このような感覚信号出力装置は大きさと用途によって適用される分野が非常に多様である。特に、情報通信産業の成長に応じて通信端末機の振動呼出用に広く使われる小型感覚信号出力装置、特に、小型振動モーターはスマートフォンを含んだタッチスクリーンフォンが人気を呼ぶにつれて既存の回転式振動モーターの機能を超える線形運動振動モーターの採用が急速に増加している（従来の振動モーターは振動体が回転しながら振動するタイプが優位を占めている）。
【０００４】
前記線形運動振動モーターがスマートフォンを含んだタッチフォンと一般携帯電話などの携帯用ＩＴ機器に適用が拡大されている理由は、回転式振動モーターに比べて応答速度が速くて騒音が小さいし、製品寿命も格段に改善されたためである。
【０００５】
前記の応答速度は最大変位での振動力の５０％に至る時にかかる時間を意味し、線形運動振動モーターを採択する最も大きい理由である。
【０００６】
最近、タッチスクリーンフォンはスマートフォンに進化して多様なアプリケーションをダウンロードして使用するようになるが、このようなアプリケーションは多様な機能をし、そのような機能に合うフィードバック振動が求められるが、これを満たすために当該技術分野では従来の線形運動振動モーターより応答速度、即ち反応速度がより速い振動モーターが求められている。
【０００７】
線形運動振動モーターはブラシと整流子を使用する振動モーターとは区別され、線形運動振動モーターの駆動原理は、磁場内に置かれている導体は一定方向に力を受けるというフレミングの左手の法則に基づいている。即ち、ＡＣ交番信号を固定されたコイルに印加すれば、コイルは電流の方向と強さ及び周波数の大きさによって振動子であるマグネットを運動させて振動エネルギーを発生させる。
【０００８】
従来、線形運動振動モーターは添付図面の図１に示すように、ヨーク３、ヨーク３の上面に順次に溶接、接着、または嵌合固定により積層固定されるマグネット４、及びトッププレート５の外周方向または内周方向にコイル６が間隔（空隙）を置いて位置して、コイル６に印加される交流信号の方向によって空隙に形成される磁束に反応するマグネット４とトッププレート５（機能及び設計によってはヨーク又は／及び重量体も含み）を含んだ磁気回路が振動しながら振動力を発生させる。
【０００９】
この際、前記マグネット３とトッププレート４を磁気回路に区分し、コイル６を振動誘発部に区分する。
【００１０】
このような構造の感覚信号出力装置は、通常、函体形ケース１と蓋２の内に収容され、前記マグネット４とトッププレート５とが安着固定されたヨーク６、即ち磁気回路を別途の板スプリング７が支持しながらケース１に固定（例えば、リベット８固定、溶接固定、またはケースに射出固定）させてなる。
【００１１】
しかしながら、前記のような従来の感覚信号出力装置は、磁気回路を支持する板スプリング７がケース１の内に設けられるので、ケース１の内で板スプリング７の流動空間乃至間隔を確保しなければならないので、感覚信号出力装置の全体の体積（サイズ）が大きくなる問題点がある。
【００１２】
また、従来の感覚信号出力装置は、ケース１に対して板スプリング７をリベット８固定、溶接固定、またはケースに射出固定させる作業が求められるので、製造作業の面倒さと難解さなど、製造性が劣る問題点がある。
【００１３】
また、従来の感覚信号出力装置は、コイル６と磁気回路とがなす振動構造で発生した振動が板スプリング７を通じてケース１に伝達されるので、振動構造で発生した振動が振動力を窮極的に出力しようとする、例えば、スマートフォン、ＭＰ３、ノートブックなどに伝達される過程で減殺されて、出力効率が低いという問題点がある。
【００１４】
このような問題点は特に、骨伝導出力装置のように繊細な振動力を要する部分でさらに深まる。
【００１５】
このような従来の感覚信号出力装置の従来技術を紹介する文献は次の通りであり、このような文献に掲載された従来技術も前記のような問題点を有している。
【先行技術文献】
【特許文献】
【００１６】
【特許文献１】大韓民国公開特許公報第１０−２００５−０１０６４８２号（出願番号：１０−２００５−７０１６３９９号（２００５．０９．０２）；骨伝導装置）
【特許文献２】大韓民国公開特許公報第１０−２００５−００２１１０２号（出願番号：１０−２００３−００５９１９８号（２００３．０８．２６）；マイクロスピーカー用振動板及びこれを用いたマイクロスピーカー）
【発明の概要】
【発明が解決しようとする課題】
【００１７】
本発明は前記のような従来技術の問題点を解決しようと案出されたものであって、コイル部及び磁気回路部を収容するケース自体がコイル及び磁気回路部がなす振動構造を弾撥支持する感覚信号出力装置を提供することをその目的とする。
【課題を解決するための手段】
【００１８】
前記のような目的を達成するための本発明は、磁気回路部１１０とコイル部１２０がケース１０１に相互対応する位置に収容された状態でコイル部１２０に印加される交流信号の方向によって磁気回路部１１０が振動しながら音響または振動を発生させる感覚信号出力装置１００において、前記ケース１０１が磁気回路部１１０とコイル部１２０との相互に対して弾性を有する状態で支持して、磁気回路部１１０とコイル部１２０とが相互反発吸引動作するか、または、ある一方が固定された状態で他方が反発吸引動作しながら振動することを特徴とする、感覚信号出力装置である。
【発明の効果】
【００１９】
前記のような課題解決手段による本発明は、ケース１０１が磁気回路部１１０とコイル部１２０を収容すると共に、各々を相互に対して弾撥支持するようになるので、別途の板スプリング無しでも振動構造を支持することができるようにすることで、感覚信号出力装置１００の全体の構成要素乃至構造を簡素化する一方、ケース内で板スプリングの流動空間確保を必要としないので、該当空間だけに対して感覚信号出力装置１００の体積（サイズ）を縮小させる効果が得られる。
【００２０】
また、本発明は板スプリングが要求されないので、ケースに対する板スプリングの固定作業を省略して製造性を向上させる効果が得られる。
【００２１】
また、本発明は磁気回路部１１０とコイル部１２０とがなす振動構造で発生する振動が板スプリングを経ないで、ケース１０１を通じて振動力を窮極的に出力しようとする、例えば、スマートフォン、ＭＰ３、ノートブックなどに直接伝達されるようにすることで、振動が減殺されることを防止し、出力効率を増大させる効果が得られる。
【図面の簡単な説明】
【００２２】
【図１】従来の感覚信号出力装置の構成を示す断面図である。
【図２】本発明の一実施形態（実施形態１）に係る構成を示す斜視図である。
【図３】本発明の一実施形態（実施形態１）に係る構成をより具体的に示す分離斜視図である。
【図４】本発明の一実施形態（実施形態１）に係る他の構成を示す断面図である。
【図５】本発明の一実施形態（実施形態１）に係る細部構成を示す断面図である。
【図６】本発明の一実施形態（実施形態１）に係る更に他の構成を示す断面図である。
【図７】本発明の一実施形態（実施形態１）の動作状態を示す断面図である。
【図８】本発明の他の実施形態（実施形態２）に係る構成を示す断面図である。
【図９】本発明の更に他の実施形態（実施形態３）に係る構成を示す断面図である。
【図１０】本発明の更に他の実施形態（実施形態４）に係る構成を示す分離斜視図である。
【図１１】本発明の更に他の実施形態（実施形態５）に係る構成を示す断面図である。
【図１２】本発明の更に他の実施形態（実施形態５）に係る動作状態を示す断面図である。
【図１３】本発明の更に他の実施形態（実施形態６）に係る構成を示す分離斜視図である。
【発明を実施するための形態】
【００２３】
このように提示した添付図面を参考にして本発明を説明すると、次の通りである。
まず、本発明の一実施形態（実施形態１）に係る構成を説明すると、添付図面の図２から図６に示すように、磁気回路部１１０とコイル部１２０とがケース１０１の相互対応する位置に収容された状態でコイル部１２０に印加される交流信号の方向によって磁気回路部１１０が振動しながら音響または振動を発生させる感覚信号出力装置１００において、前記ケース１０１が磁気回路部１１０とコイル部１２０との相互に対して弾性を有する状態で支持して、磁気回路部１１０とコイル部１２０とが相互反発吸引動作するか、または、ある一方が固定された状態で他方が反発吸引動作しながら振動するものでありうる。
【００２４】
ここで、本発明のうち、前記磁気回路部１１０は添付図面の図２から図５に示すように、磁力を発生させるマグネット１１１；前記マグネット１１１の上部面に積層されてマグネットの磁力を集中させるトッププレート１１２；前記マグネット１１１及びトッププレート１１２と同心円を有して外郭に間隔をおいて設けられる他のマグネット１１１'とトッププレート１１２'；前記同心円を有して位置するマグネットが安着する面を提供しながら磁力線が通過する経路を提供するヨーク１１３；を含んで構成できる。
【００２５】
また、前記磁気回路部１１０は、添付図面の図６に示すように、磁力を発生させるマグネット１１１；前記マグネット１１１の上部面に積層されてマグネットの磁力を集中させるトッププレート１１２；前記マグネット１１１が安着固定される面を提供すると共に、磁力線が通過する経路を提供しながらマグネット１１１とトッププレート１１２の外周面方向または内周面方向に磁束が形成される空隙を提供するように高さ面を有するヨーク１１３'を含んで構成できる。
【００２６】
一方、本発明のうち、前記コイル部１２０は磁気回路部１１０の空隙に位置した状態で外部から交流信号が入力されれば、フレミングの左手の法則に従って振動するボイスコイル１２１；を含んで構成できる。
【００２７】
また、前記コイル部１２０はボイスコイル１２１が一側面中央に固定されるプレート１２２をさらに含んで構成されることもできる。
【００２８】
また一方、本発明のうち、前記ケース１０１は磁気回路部１１０とコイル部１２０の対向する面の縁部分に結合される金属材または合成樹脂材からなる垂直方向の弾性板体でありうる。
【００２９】
この際、前記ケース１０１は磁気回路部１１０とコイル部１２０との対向する面の縁部分に間隔をおいて結合される板体形状の板スプリング配列体（図３参照）、または磁気回路部１１０とコイル部１２０との対向する面の縁部分に結合されるリム（Rim）に間隔をおいて打孔部と弾性部が配列された板スプリング（図４参照）、または磁気回路部１１０とコイル部１２０との対向する面の縁部分に結合される弾性を有するリムからなる板スプリング（打孔部が形成されない正常なリム（Rim））タイプでありうる。
【００３０】
前記において、配列される板スプリング配列体の個数は３個〜６個を実施形態として例示するが、これに限定されず、磁力の程度及び感覚信号出力装置の使い道などによってその配列は増加することがある。
【００３１】
また、前記板スプリングの面はテンション力を提供するクランプルゾーン（Crumple zone；シワ部位）、または外方または内方に湾曲面が設けられたものでありうる。
【００３２】
前記において、磁気回路部１１０のコイル部１２０と対向する面はマグネット１１１が安着固定されるヨーク１１３の一側面であり、前記コイル部１２０の磁気回路部１１０と対向する面はボイスコイル１２１が固定されるプレート１２２の一側面でありうる。
【００３３】
また、前記ケース１０１は磁気回路部１１０とコイル部１２０との対向する面に形成される溝に嵌められて結合されることもでき、嵌められた後、溶接または接着により固定されることもできる。
【００３４】
この際、前記磁気回路部１１０のコイル部１２０と対向する面はヨーク１１３のマグネット１１１が安着固定される面で、前記コイル部１２０の磁気回路部１１０と対向する面はボイスコイル１２１が固定される面でありうる。
【００３５】
このように構成される本発明の作用を説明すると、次の通りである。
【００３６】
まず、本発明の一実施形態（実施形態１）に係る構成の作用を説明すると、磁気回路部１１０とコイル部１２０とがケース１０１の相互対応する位置に収容された状態でコイル部１２０に印加される交流信号の方向によって磁気回路部１１０が振動しながら音響または振動を発生させる感覚信号出力装置１００において、前記ケース１０１が磁気回路部１１０とコイル部１２０との相互に対して弾性を有する状態で支持して、磁気回路部１１０とコイル部１２０とが相互反発吸引動作するか、または、ある一方が固定された状態で他方が反発吸引動作しながら振動する感覚信号出力装置１００である。
【００３７】
ここで、前記磁気回路部１１０は、磁力を発生させるマグネット１１１；前記マグネット１１１の上部面に積層されてマグネットの磁力を集中させるトッププレート１１２；前記マグネット１１１及びトッププレート１１２と同心円を有して外郭に間隔をおいて設けられる他のマグネット１１１'とトッププレート１１２'；前記同心円を有して位置するマグネットが安着する面を提供しながら磁力線が通過する経路を提供するヨーク１１３；を含んで構成される。
【００３８】
一方、本発明のうち、前記コイル部１２０は、磁気回路部１１０の空隙に位置した状態で外部から交流信号が入力されれば、フレミングの左手の法則に従って振動するボイスコイル１２１；を含んで構成され、前記コイル部１２０はボイスコイル１２１が一側面中央に固定されるプレート１２２をさらに含んで構成される。
【００３９】
このように構成される本発明は、前記ヨーク１１３に安着した一対のマグネット１１１、１１１'及びトッププレート１１２、１１２'の間の空隙にボイスコイル１２１が位置するようになり、この際、ボイスコイル１２１に印加される交流信号の方向によって空隙に形成される磁束に反応して添付図面の図７に示すように、ヨーク１１３とマグネット１１１、１１１'及びトッププレート１１２、１１２'からなる磁気回路部１１０とボイスコイル１２１を含んだコイル部１２０が振動しながら振動力を発生させるようになる。
【００４０】
この際、前記磁気回路部１１０とコイル部１２０のうち、ある一方が固定されている場合、固定されていない反対側部分が振動しながら振動力又は／及び音響を出力するようになる。
【００４１】
前記のような振動は前記磁気回路部１１０及びコイル部１２０は弾性を有するケース１０１により間隔をおいた状態で結合されながら弾撥支持されることにより可能である。即ち、前記のような振動は前記磁気回路部１１０とコイル部１２０との間で垂直に位置するケース１０１の弾撥支持力により可能になる。
【００４２】
前記のような本発明は、ケース１０１が磁気回路部１１０とコイル部１２０とを収容すると共に、各々を相互に対して弾撥支持するようになるので、別途の板スプリング無しでも振動構造を支持できるようにすることで、感覚信号出力装置１００の全体の構成要素乃至構造を簡素化する一方、ケース内で板スプリングの流動空間確保を必要としないので、該当空間だけに対して感覚信号出力装置１００の体積（サイズ）を縮小させることができる。
【００４３】
また、本発明は板スプリングが要求されないので、ケースに対する板スプリングの固定作業を省略して製造性を向上させることができる。
【００４４】
また、本発明は磁気回路部１１０とコイル部１２０とがなす振動構造で発生する振動が板スプリングを経ないで、ケース１０１を通じて振動力を窮極的に出力しようとする、例えば、スマートフォン、ＭＰ３、ノートブックなどに直接伝達されるようにすることで、振動が減殺されることを防止し、出力効率を増大させることができる。
【００４５】
このようになる本発明の他の実施形態を見ると、次の通りである。
【００４６】
まず、本発明の実施形態２を見ると、添付図面の図８に示すように、前記ケース１０１は磁気回路部１１０とコイル部１２０との対向する面の縁部分に間隔をおいて結合される板体の中央部分が内方に突出するように折り曲げられた板スプリング、または磁気回路部１１０とコイル部１２０との対向する面の縁部分に結合されるリム（Rim）の中央部分が内方に突出するように折り曲げられ、表面に打孔部と弾性部が間隔をおいて配列されるリム形状の板スプリング、または磁気回路部１１０とコイル部１２０との対向する面の縁部分に結合されるリム（Rim）の中央部分が内方に突出するように折り曲げられたリム形状の板スプリング（打孔部が形成されていない完全なリム（Rim）タイプ）でありうる。
【００４７】
0006425101.tif 000002
【００４８】
次に、本発明の実施形態３を見ると、添付図面の図９に示すように、前記ケース１０１は磁気回路部１１０とコイル部１２０との対向する面の縁部分に間隔をおいて結合される板体の中央部分が外方に突出するように折り曲げられた板スプリング、または磁気回路部１１０とコイル部１２０との対向する面の縁部分に結合されるリム（Rim）の中央部分が外方に突出するように折り曲げられ、表面に打孔部と弾性部が間隔をおいて配列されるリム形状の板スプリング、または磁気回路部１１０とコイル部１２０との対向する面の縁部分に結合されるリム（Rim）の中央部分が外方に突出するように折り曲げられたリム形状の板スプリング（打孔部が形成されていない完全なリム（Rim）タイプ）でありうる。
【００４９】
0006425101.tif 000003
【００５０】
このようになれば、前記ヨーク１１３に安着した一対のマグネット１１１、１１１'及びトッププレート１１２、１１２'の間の空隙に位置したボイスコイル１２１に印加される交流信号の方向によって、図示したように、ヨーク１１３、マグネット１１１、１１１'、及びトッププレート１１２、１１２'からなる磁気回路部１１０と、ボイスコイル１２１を含んだコイル部１２０が振動しながら振動力を発生させるようになり、このような振動は前記磁気回路部１１０とコイル部１２０との間で垂直に位置するケース１０１の弾撥支持力により可能になる。
【００５１】
次に、本発明の実施形態４を見ると、添付図面の図１０に示すように、前記ケース１０１は一端が磁気回路部１１０のコイル部１２０と対向する面に結合され、他端は磁気回路部１１０とコイル部１２０の外郭縁線上に沿って斜線に延びて、前記コイル部１２０の磁気回路部１１０と対向する面に結合される金属材または合成樹脂材からなる斜線型板スプリングの配列体でありうる。
【００５２】
前記において、配列される斜線型板スプリングの個数は３個〜６個を実施形態として例示するが、磁力の程度及び感覚信号出力装置の使い道などによってその配列は増加することがある。
【００５３】
このようになれば、前述したような原理により前記ヨーク１１３、マグネット１１１、１１１'、及びトッププレート１１２、１１２'からなる磁気回路部１１０と、ボイスコイル１２１を含んだコイル部１２０が振動する過程で斜線型に配列されたケース１０１により一定範囲内で左右に回動しながら上下振動するようになる。
【００５４】
次に、本発明の実施形態５を見ると、添付図面の図１１に示すように、前記ケース１０１は磁気回路部１１０とコイル部１２０との対向する面の縁部分に間隔をおいて結合されるコイルスプリングの配列体でありうる。
【００５５】
前記で配列されるコイルスプリングの個数は３個〜６個を実施形態として例示するが、磁力の程度及び感覚信号出力装置の使い道などによってその配列は増加することがある。
【００５６】
このようになれば、添付図面の図１２に示すように、前記磁気回路部１１０が固定される部分とコイル部１２０が固定される部分が水平を維持せず、所定の角度に水平線上を外れた場合、コイルスプリングが柔軟に対応して固定がなされるようにする。
【００５７】
この際、前記磁気回路部１１０とコイル部１２０との対向する面の間隔の狭い部分に位置したコイルスプリングの巻線数乃至弾性度を間隔の広い部分に位置したコイルスプリングの巻線数乃至弾性度より少なくて低くすることもできる。
【００５８】
このようにすれば、前記磁気回路部１１０が固定される部分とコイル部１２０が固定される部分が水平を維持せず、所定の角度に水平線上を外れた程度、即ち、傾斜した程度によって振動過程で間隔の狭い側と間隔の広い側の弾撥力の不均衡を解消することができ、これによって振動歪曲を防止することができる。
【００５９】
終わりに、本発明の実施形態６を見ると、添付図面の図１３に示すように、前記コイル部１２０はボイスコイル１２１が一側面中央に固定されて、ボイスコイル１２１の振動により音響を出力させる振動板１２３（ダイアフラム）をさらに含んで構成されることもできる。
【００６０】
前記において、ボイスコイル１２１が固定される振動板１２３の外周縁にはリムタイプの支持部材１２４が設けられて、前記ケース１０１と結合される部位を提供することができ、前記リムタイプの支持部材１２４の一側開放部の内周面には振動板を保護する蓋１２５が結合されることもできる。
【００６１】
このようになれば、前記磁気回路部１１０とコイル部１２０の振動による振動力と前記振動板１２３の振動による音響が同時に出力できる。
【００６２】
以上、本発明を本発明の原理を例示するための好ましい実施形態と関連して説明及び図示したが、本発明はそのように図示及び説明されたそのままの構成及び作用に限定されるものではない。
【００６３】
例えば、本発明のような構造の感覚信号出力装置１００は骨伝導出力が可能なものであって、前記の骨伝導ということは、振動が空気を通せず、直接骨から内耳に伝達されて聞こえることをいい、振動体が頭楯に付いているか、または頭蓋骨の中にある時に起こることをいう。前記のような骨伝導出力装置に用いられる場合、イヤホン（ヘッドホン、バックイヤホン含み）にも適用可能であり、スマートフォンの音響または振動出力装置にも使用可能であり、サングラス乃至めがねのつる部分に適用することもでき、本発明の名称から分かるように、必らず骨伝導出力装置に限定されるものでなく、その他の振動又は／及び音響出力装置にも利用可能である。
【００６４】
その他にも、添付した請求範囲の思想及び範疇を逸脱することなく、本発明に対する多数の変更及び修正が可能であることは当業者であればよく理解することができるものである。
【００６５】
したがって、そのような全ての適切な変更及び修正と均等物も本発明の範囲に属するものと見なされるべきである。
【符号の説明】
【００６６】
１００    感覚信号出力装置
１０１    ケース
１１０    磁気回路部
１１１、１１１'    マグネット
１１２、１１２'    トッププレート
１１３、１１３'    ヨーク
１２０    コイル部
１２１    ボイスコイル
１２２    プレート
１２３    振動板
１２４    支持部材
１２５    蓋
【図１】
0006425101.tif 000004
【図２】
0006425101.tif 000005
【図３】
0006425101.tif 000006
【図４】
0006425101.tif 000007
【図５】
0006425101.tif 000008
【図６】
0006425101.tif 000009
【図７】
0006425101.tif 000010
【図８】
0006425101.tif 000011
【図９】
0006425101.tif 000012
【図１０】
0006425101.tif 000013
【図１１】
0006425101.tif 000014
【図１２】
0006425101.tif 000015
【図１３】
0006425101.tif 000016